(57)【要約】      （修正有）【課題】同種型ではあるが異構造のランプソケットに取り付け可能となるＬＥＤ照明装置及び接続器具を提供する。【解決手段】対向配置される一対の車両室内灯のソケット端子片（Ｓ１及びＳ２）に対してＬＥＤが搭載された基板１１を接続するための接続器具であって、中空でなる絶縁性の棒状部材と、その棒状部材の一端から伸縮自在に、該棒状部材の中空を摺動する絶縁性の芯部材と、絶縁処理が施され、棒状部材の外周面に沿ってらせん状に巻回され、芯部材の伸縮方向に付勢する弾性部材３２と、棒状部材の他端及び弾性部材の一端に支持される第１の金属端子３３Ａと、芯部材の端及び弾性部材の他端に支持される第２の金属端子３３Ｂとを設けるようにした。【選択図】図４
0003129847.tif 000002
【実用新案登録請求の範囲】
【請求項１】
対向配置される一対の車両室内灯のソケット端子片に対してＬＥＤが搭載された基板を接続するための接続器具であって、
中空でなる絶縁性の棒状部材と、
上記棒状部材の一端から伸縮自在に、該棒状部材の中空を摺動する絶縁性の芯部材と、
少なくとも表面が絶縁性を帯び、上記棒状部材の外周面に沿ってらせん状に巻回され、上記芯部材の伸縮方向に付勢する弾性部材と、
上記棒状部材の他端及び上記弾性部材の一端に支持される第１の金属端子と、
上記芯部材の開放端及び上記弾性部材の他端に支持される第２の金属端子と
を具えることを特徴とする接続器具。
【請求項２】
上記第１の端子及び上記第２の端子の対向端は環状に形成され、これら対向端には、対向側とは逆側にフランジが形成された
ことを特徴とする請求項１に記載の接続器具。
【請求項３】
上記第１の端子及び上記第２の端子の先端は凸状に形成され、上記第１の端子及び上記第２の端子の対向端は環状に形成された
ことを特徴とする請求項１に記載の接続器具。
【請求項４】
対向配置される一対の車両室内灯のソケット端子片に接続されるＬＥＤ照明装置であって、
ＬＥＤが搭載された基板と、
上記基板を上記ソケット端子片に接続するための接続器具と
を具え、
上記接続器具は、
中空でなる絶縁性の棒状部材と、
上記棒状部材の一端から伸縮自在に、該棒状部材の中空を摺動する絶縁性の芯部材と、
少なくとも表面が絶縁性を帯び、上記棒状部材の外周面に沿ってらせん状に巻回され、上記芯部材の伸縮方向に付勢する弾性部材と、
上記棒状部材の他端及び上記弾性部材の一端に支持される第１の金属端子と、
上記芯部材の開放端及び上記弾性部材の他端に支持される第２の金属端子と
を具えることを特徴とするＬＥＤ照明装置。
【考案の詳細な説明】
【技術分野】
【０００１】
本考案は、接続器具及びＬＥＤ照明装置に関し、例えば、自動車の室内灯に適用して好適なものである。
【背景技術】
【０００２】
自動車の室内灯として、一般にはタングステン電球が採用される。近年、このタングステン電球よりも長寿命、高輝度及び省電力等の利点がある自動車の室内灯として、ＬＥＤ(Light-Emitting Diode)が搭載された基板（以下、これをＬＥＤ基板と呼ぶ）を採用する場合がある。
【０００３】
この場合、自動車の室内ランプソケット（以下、これを単にランプソケットと呼ぶ）に対してＬＥＤ基板を接続するための接続器具（以下、これをソケットアダプタと呼ぶ）が用いられる。
【０００４】
ランプソケットの型（形式）は、自動車の車種に応じて、直管型ランプソケット、ねじ込み型ランプソケット及びウェッジベース型ランプソケットに大きく分類することができ、これらランプソケットの型に対応させてソケットアダプタがそれぞれ成形される。
【０００５】
例えば、実用新案登録第３１２０８４８号公報には、直管型ランプソケットに対応するソケットアダプタ（挟持式接続端子１）、ねじ込み型ランプソケットに対応するソケットアダプタ（回転組込式接続端子２）及びウェッジベース型ランプソケットに対応するソケットアダプタ（挿入式接続端子３）がそれぞれ開示されている。
【考案の開示】
【考案が解決しようとする課題】
【０００６】
ところが、同種型のランプソケットであっても、そのランプソケットの構造には自動車の車種に応じて相違点が多い。直管型ランプソケットに着目した場合、この相違点の１つとして、一方のソケット端子片と、該一方のソケット端子片に対向する他方のソケット端子片との間の距離（以下、これをソケット端子間長と呼ぶ）が挙げられる。
【０００７】
上記公報に開示された直管型ランプソケットに対応するソケットアダプタにおいては、両端の金属片（金属キャップ１２）間の幅を固定したものであることにより、該両端の金属片間の幅に対応するソケット端子間長をもつランプソケット以外には取り付けることができないといった問題があった。
【０００８】
本考案は以上の点を考慮してなされたもので、同種型ではあるが異構造のランプソケットに取り付け可能となる接続器具及びＬＥＤ照明装置を提案しようとするものである。
【課題を解決するための手段】
【０００９】
かかる課題を解決するため本考案は、対向配置される一対の車両室内灯のソケット端子片（Ｓ１及びＳ２、Ｓ３及びＳ４）に対してＬＥＤが搭載された基板（１１）を接続するための接続器具（２１）であって、中空でなる絶縁性の棒状部材（４１）と、その棒状部材の一端から伸縮自在に、該棒状部材の中空を摺動する絶縁性の芯部材（４２）と、少なくとも表面が絶縁性を帯び、棒状部材の外周面に沿ってらせん状に巻回され、芯部材の伸縮方向に付勢する弾性部材（３２）と、棒状部材の他端及び弾性部材の一端に支持される第１の金属端子（３３Ａ）と、芯部材の端及び弾性部材の他端に支持される第２の金属端子（３３Ｂ）とを設けるようにした。
【００１０】
また本考案は、対向配置される一対の車両室内灯のソケット端子片（Ｓ１及びＳ２、Ｓ３及びＳ４）に接続されるＬＥＤ照明装置（１）であって、ＬＥＤが搭載された基板（１１）と、その基板をソケット端子片に接続するための接続器具（２１）を有し、該接続器具については、中空でなる絶縁性の棒状部材（４１）と、その棒状部材の一端から伸縮自在に、該棒状部材の中空を摺動する絶縁性の芯部材（４２）と、少なくとも表面が絶縁性を帯び、棒状部材の外周面に沿ってらせん状に巻回され、芯部材の伸縮方向に付勢する弾性部材（３２）と、棒状部材の他端及び弾性部材の一端に支持される第１の金属端子（３３Ａ）と、芯部材の端及び弾性部材の他端に支持される第２の金属端子（３３Ｂ）とを設けるようにした。
【考案の効果】
【００１１】
この接続器具では、棒状部材及び芯部材が、第１の端子及び第２の端子を、近づく方向又は離れる方向に伸縮自在に支持するため、該端子間の幅を可変して一の接続器具で複数のソケット端子間長に対応させることができる。また、ソケット端子片に第１の金属端子及び第２の金属端子を介してこの接続器具が装着された場合、芯部材の伸縮方向における弾性部材の付勢により、ソケット端子片に対する、第１の端子及び第２の端子の接続を強固に保持することができる。このようにして同種型ではあるが異構造のランプソケットに取り付け可能となる接続器具及びＬＥＤ照明装置を実現できる。
【考案を実施するための最良の形態】
【００１２】
以下図面について、本考案の一実施の形態を詳述する。
【００１３】
図１において、１は全体としてＬＥＤ照明装置を示し、ルームランプ本体２と、ソケットアダプタ３とによって構成される。
【００１４】
ルームランプ本体２は、ＬＥＤ基板１１と、該ＬＥＤ基板１１から引き回される一対のリード線の先端に連結されたオス型コネクタ１２とによって構成されており、該オス型コネクタ１２からリード線を介して与えられる電圧を駆動電圧としてＬＥＤを駆動するようになされている。
【００１５】
ソケットアダプタ３は、直管型ランプソケットに対応するソケットアダプタ本体２１と、該ソケットアダプタ本体２１から引き回される一対のリード線の先端に連結されたメス型コネクタ２２とによって構成される。
【００１６】
このソケットアダプタ本体２１は、図２に示すように、伸縮バー３１と、コイルバネ３２と、これら伸縮バー３１及びコイルバネ３２の各先端に連結される第１の金属端子３３Ａ及び第２の金属端子３３Ｂとによって構成される。
【００１７】
伸縮バー３１は、図２におけるＡ−Ａ´の断面をとった図３（Ａ）、（Ｂ）にも示すように、ガラス入りＡＢＳ樹脂の円管状部材４１の中空に、ガラス入りＡＢＳ樹脂の芯部材４２を摺動自在に挿通することによって、該円管状部材４１の一端から芯部材４２を伸縮することができるようになされている。
【００１８】
また、この円管状部材４１の一端縁には、円板状の係止部４１Ａが一体に形成され、芯部材４２には、この係止部４１Ａに当接される頭部４２Ａが形成される。これにより伸縮バー３１は、円管状部材４１と芯部材４２との分離を確実に回避することができるようになされている。
【００１９】
一方、コイルバネ３２は、導電性の線材の表面を絶縁材で薄膜加工する処理（以下、これを絶縁処理と呼ぶ）が施され、該絶縁処理が施された線材を、円管状部材４１に一様に沿って、該線材間の幅とを略一定に保つ状態で、巻回される。
【００２０】
したがって、このコイルバネ３２は、図２におけるＢ−Ｂ´の断面をとった図３（Ｃ）にも示すように、円管状部材４１（芯部材４２）の中軸を基準として、略同心に配置される。
【００２１】
他方、第１の金属端子３３Ａ及び第２の金属端子３３Ｂは同一形状でなり、図２及び図３（Ａ）、（Ｂ）に示したように、円錐台状の先端部ＴＰＡ（ＴＰＢ）と、環状の腹部ＢＥＡ（ＢＥＢ）とを一体に形成することによって、全体としてキャップ状となっている。
【００２２】
また、第１の金属端子３３Ａ及び第２の金属端子３３Ｂにおける腹部ＢＥＡ、ＢＥＢの対向端には、対向側とは逆側にフランジＦＲＡ、ＦＲＢが形成されている。
【００２３】
この第１の金属端子３３Ａ及び第２の金属端子３３Ｂには、その内壁の一部を接点として対応するリード線の先端が半田付けにより固着され、その内空がパラフィン等の絶縁部材ＩＬＡ、ＩＬＢで充填される。
【００２４】
第１の金属端子３３Ａの内空に充填された絶縁体ＩＬＡには、腹部ＢＥＡの中心と芯部材４２の中軸ＡＸとを基準として、芯部材３１の端（開放端）が埋め込まれることにより連結される（図３（Ａ）、（Ｂ）等）。また、絶縁体ＩＬＡの表面には、コイルバネ３２の一端が接着剤等により固着されることにより連結される（図２等）。
【００２５】
同様に、第２の金属端子３３Ｂの内空に充填された絶縁部材ＩＬＢには、腹部ＢＥＢの中心と円管状部材４１の中軸ＡＸとを基準として、円管状部材４１の他端が埋め込まれることにより連結され、該絶縁体ＩＬＢの表面には、コイルバネ３２の他端が固着されることにより連結される。
【００２６】
したがって、第１の金属端子３３Ａ及び第２の金属端子３３Ｂは、伸縮バー３１及びコイルバネ３２によって、互いの腹部ＢＥＡ、ＢＥＢが対向する状態で、互いに近づく方向又は離れる方向に伸縮自在に支持されるようになされている。
【００２７】
また、第１の金属端子３３Ａ及び第２の金属端子３３Ｂは、絶縁性の伸縮バー３１及び絶縁処理が施されたコイルバネ３２に、絶縁体ＩＬＡ、ＩＬＢを介して支持されるので、当該伸縮バー３１及びコイルバネ３２の周囲に絶縁性カバーを配することなく、当該金属端子間の通電を、車体の振動等が生じた場合であっても、確実に回避することができるようになされている。
【００２８】
ここで、図３（Ｃ）に示したように、第１の金属端子３３Ａ及び第２の金属端子３３Ｂにおける腹部ＢＥＡ、ＢＥＢの径に比して、コイルバネ３２の径が小さく選定されている。
【００２９】
これによりこのソケットアダプタ本体２１は、コイルバネ３２における線材量を極力少なくしつつ、全体として小型化かつ体裁上スマートにし得るようになされている（図２等）。
【００３０】
以上の構成において、図４に示すように、Ｕ字状のソケット端子片Ｓ１、Ｓ２にＬＥＤ照明装置１を装着する場合、第１段階として、第１の金属端子３３Ａ及び第２の金属端子３３Ｂが近づく方向に押力を加えることで、腹部ＢＥＡ、ＢＥＢ間の幅Ｌ１が、ソケット端子間長Ｌ２に調整される。
【００３１】
この段階では、ソケットアダプタ本体２１の中軸ＡＸに沿って各金属端子３３Ａ、３３Ｂが近づく方向に押力が加えられなかった場合、該中軸方向とは異なる方向にコイルバネ３２が収縮することがあるが、このソケットアダプタ本体２１は、伸縮バー３１を、コイルバネ３２内に挿通していることにより、コイルバネ３２の収縮方向を伸縮バー３１の収縮方向に規制することができる。
【００３２】
したがって、このソケットアダプタ本体２１は、各各金属端子３３Ａ、３３Ｂを片手でつまむという簡易な動作によって、腹部ＢＥＡ、ＢＥＢ間の幅Ｌ１を、ソケット端子間長Ｌ２に調整させることができる。
【００３３】
第２段階として、各金属端子３３Ａ、３３Ｂの腹部ＢＥＡ、ＢＥＢが、Ｕ字状のソケット端子片Ｓ１、Ｓ２に嵌め込まれる。この段階では、各金属端子３３の腹部ＢＥＡ、ＢＥＢが環状に形成されていることにより、当該ソケット端子片Ｓ１、Ｓ２に嵌め込む際の摩擦を低減することができる。
【００３４】
したがって、このソケットアダプタ本体２１は、各金属端子３３Ａ、３３Ｂを片手でつまみながら、ソケット端子間長Ｌ２に調整されたソケットアダプタ本体２１における各金属端子３３Ａ、３３Ｂを、Ｕ字状のソケット端子片Ｓ１、Ｓ２に簡易に嵌め込ませることができる。
【００３５】
また、各金属端子３３Ａ、３３ＢがＵ字状のソケット端子片Ｓ１、Ｓ２に嵌め込むことにより挟持された場合、図５に示すように、ソケットアダプタ本体２１は、各金属端子３３Ａ、３３Ｂが離れる方向（芯部材４２の伸縮方向）にコイルバネ３２によって付勢し、これによりソケット端子片Ｓ１、Ｓ２に対する金属端子３３Ａ、３３Ｂの接続を強固に保持することができる。したがって、このソケットアダプタ本体２１は、車体の振動等に応じてソケットアダプタ本体２１が外れるといったことを、より一段と低減することができる。
【００３６】
これに加えて、各金属端子３３に形成されたフランジＦＲＡ、ＦＲＢがＵ字状のソケット端子片Ｓ１、Ｓ２に係合することにより、ソケット端子片Ｓ１、Ｓ２の挟持力に対してコイルバネ３２の付勢力が大きくなった場合であっても、ソケット端子片Ｓ１、Ｓ２に対する各金属端子３３の接続を保持することができる。
【００３７】
その後（図４）、ランプカバーＣＶとＬＥＤ基板１１との隙間を埋めるためのコ字状の台座ＰＤの天面ｃｆにＬＥＤ基板１１を両面テープ等により固着し、該固着された台座ＤＺを照明ランプパネルＰＮ及びランプカバーＣＶ間に介挿させた状態で、該照明カバーＣＶを照明ランプパネルＰＮに嵌め込むようになされている。
【００３８】
また、図６に示すように、穴が穿設されたソケット端子片Ｓ３、Ｓ４にＬＥＤ照明装置１を取り付ける場合、第１段階として、第１の金属端子３３Ａ及び第２の金属端子３３Ｂが近づく方向に押力を加えることで、ソケットアダプタ本体２１の本体の幅Ｌ３が、ソケット端子間長Ｌ４に調整される。
【００３９】
第２段階として、ソケット端子間長Ｌ２に調整されたソケットアダプタ本体２１のうち、金属端子３３（３３Ａ、３３Ｂ）の円錐状先端部ＴＰＡ、ＴＰＢが、ソケット端子片Ｓ３、Ｓ４の穴に挿通されることにより嵌合される。
【００４０】
このように、このソケットアダプタ本体２１は、嵌込式の異なるソケット端子片Ｓ１及びＳ２、Ｓ３及びＳ４にそれぞれ対応するソケット端子間長Ｌ２、Ｌ４に合わせて調整可能な構造でなり、かつ、金属端子３３Ａ及び３３Ｂにおける先端部ＴＰを、ソケット端子片Ｓ３及びＳ４に対応する形状とするとともに、金属端子３３Ａ及び３３Ｂにおける腹部ＢＥを、ソケット端子片Ｓ１及びＳ２に対応する形状に形成されていることにより、嵌込式の異なるソケット端子片Ｓ１及びＳ２、Ｓ３及びＳ４にそれぞれ取り付けることができる。
【００４１】
以上の構成によれば、金属端子３３Ａ及び３３Ｂを、近づく方向又は離れる方向に伸縮自在に支持するようにしたことにより、同種型ではあるがソケット端子間長の異なるランプソケットに取り付け可能となるソケットアダプタ本体２１を実現できる。
【００４２】
なお上述の実施の形態においては、伸縮バー３１（円管状部材４１、芯部材４２）をガラス入りＡＢＳ樹脂とした場合について述べたが、本考案はこれに限らず、これ以外の絶縁体を適用することができる。
【００４３】
また上述の実施の形態においては、円管状の伸縮バー３１を適用するようにした場合について述べたが、本考案はこれに限らず、例えば多角柱状の伸縮バー等、種々の形状の伸縮バーを適用することができる。
【００４４】
さらに上述の実施の形態においては、絶縁処理が施された線材がらせん状に巻回されたコイルバネ３２を適用するようにした場合について述べたが、本考案はこれに限らず、絶縁性の線材がらせん状に巻回されたコイルバネを適用するようにしてもよい。
【００４５】
さらに上述の実施の形態においては、第１の金属端子及び第２の金属端子３３Ａ、３３Ｂの先端部ＴＰＡ、ＴＰＢを円錐台状に形成するようにした場合について述べたが、本考案はこれに限らず、例えば円錐形状、断面Ｔ字状等に形成するようにしてもよい。要は、凸状（突き出ている形状）となっていればよい。
【００４６】
さらに上述の実施の形態においては、第１の金属端子及び第２の金属端子３３Ａ、３３Ｂの腹部ＢＥＡ、ＢＥＢを環状に形成するようにした場合について述べたが、本考案はこれに限らず、多角柱状等に形成するようにしてもよい。
【００４７】
さらに上述の実施の形態においては、第１の金属端子及び第２の金属端子３３Ａ、３３Ｂの全体を電極とする場合について述べたが、本考案はこれに限らず、一部だけを電極とするようにしてもよい。
【００４８】
さらに上述の実施の形態においては、ＬＥＤ基板１１から引き回される一対のリード線と、ソケットアダプタ本体２１から引き回される一対のリード線とを、コネクタ１２、２２で連結ようにした場合について述べたが、本考案はこれに限らず、これらリード線を直結するようにしてもよい。
【図面の簡単な説明】
【００４９】
【図１】ＬＥＤ照明装置の全体構成を示す略線図である。
【図２】ソケットアダプタ本体の構成を示す略線図である。
【図３】ソケットアダプタ本体の断面を示す略線図である。
【図４】ＬＥＤ照明装置の装着の説明に供する略線図である。
【図５】ソケット端子片に対するソケットアダプタ本体の装着状態を示す略線図である。
【図６】穴が穿設されたソケット端子片に対するソケットアダプタ本体の装着の説明に供する略線図である。
【符号の説明】
【００５０】
１……ＬＥＤ照明装置、２……ルームランプ本体、３……ソケットアダプタ、１１……ＬＥＤ基板、１２……オス型コネクタ、２１……ソケットアダプタ本体、２２……メス型コネクタ、３１……伸縮バー、３２……コイルバネ、３３Ａ……第１の金属端子、３３Ｂ……第２の金属端子、４１……円管状部材、４２……芯部材、ＴＰＡ、ＴＰＢ……先端部、ＢＥＡ、ＢＥＢ……腹部、ＦＲＡ、ＦＲＢ……フランジ。
【図１】
0003129847.tif 000003
【図２】
0003129847.tif 000004
【図３】
0003129847.tif 000005
【図４】
0003129847.tif 000006
【図５】
0003129847.tif 000007
【図６】
0003129847.tif 000008